(57)【要約】【課題】利用者が懸賞サイトに個人情報を提供する際の入力の手間を低減でき、かつ個人情報のセキュリティの向上を図ることのできるシステムを提供する。【解決手段】利用者の個人情報を利用者１０の端末から懸賞サイトサーバ３へ直接送るのではなく、予め利用者１０からセンターサーバ５に利用者の個人情報と個人のＩＤおよびパスワードとを関連付けて登録しておく。懸賞サイトサーバ３からセンターサーバ５に当選者のＩＤおよびパスワードが送信された時に、センターサーバ５がこれらのＩＤおよびパスワードに基づいて該当する利用者の個人情報を読み出して懸賞サイトサーバ３に提供する。したがって、利用者は懸賞サイトサーバ３に自身の個人情報を提供したいとき、自身のＩＤおよびパスワードのみを懸賞サイトサーバ３に送ればよい。【選択図】　　　図９
2004102892.tif 000002
【特許請求の範囲】
【請求項１】
利用者の個人情報を該個人の証明に必要な情報とともに蓄積する個人情報データベースと、
前記利用者の端末から網を介して個人情報を取り込み前記個人情報データベースに登録するとともに該利用者の前記証明に必要な情報を前記利用者端末との間で交換して前記個人情報データベースに登録する利用者対応部と、
前記利用者の個人情報を取得可能なサービス提供者に関する情報を蓄積するサービス提供者データベースと、
このサービス提供者データベースに登録された前記サービス提供者の端末である個人情報要求サーバ装置から前記網を介して送られてきた前記個人の証明に必要な情報に基づいて、前記個人情報データベースから該当する利用者の個人情報を読み出して前記サービス提供者に提供する個人情報提供部と
を具備することを特徴とする個人情報管理サーバ装置。
【請求項２】
前記個人情報提供部は、前記サービス提供者ごとに提供した個人情報の数を前記サービス提供者データベースに記録することを特徴とする請求項１に記載の個人情報管理サーバ装置。
【請求項３】
個人の証明に必要な情報を少なくとも蓄積する利用者管理データベースと、
前記利用者の端末から網を介して該個人の証明に必要な情報を取り込み前記利用者管理データベースに登録する利用者対応部と、
前記利用者管理データベースに蓄積された少なくとも一部の前記個人の証明に必要な情報を、個人情報を管理する機能を有する外部の個人情報管理サーバ装置に前記網を介して送信して個人情報の問い合わせを行い、その応答である個人情報を取得する個人情報取得部と
を具備することを特徴とする個人情報要求サーバ装置。
【請求項４】
前記外部の個人情報管理サーバ装置が、
利用者の個人情報を該個人の証明に必要な情報とともに蓄積する個人情報データベースと、
前記利用者の端末から網を介して個人情報を取り込み前記個人情報データベースに登録するとともに該利用者の前記証明に必要な情報を前記利用者端末との間で交換して前記個人情報データベースに登録する利用者対応部と、
前記利用者の個人情報を取得可能なサービス提供者に関する情報を蓄積するサービス提供者データベースと、
このサービス提供者データベースに登録された前記サービス提供者の端末である個人情報要求サーバ装置から前記網を介して送られてきた前記個人の証明に必要な情報に基づいて、前記個人情報データベースから該当する利用者の個人情報を読み出して前記サービス提供者に提供する個人情報提供部と
を具備するものであることを特徴とする請求項３に記載の個人情報要求サーバ装置。
【請求項５】
利用者の個人情報を該利用者を証明する情報とともに管理する個人情報管理サーバ装置と、前記利用者の個人情報に基づき該利用者に対して特定のサービスを提供する個人情報要求サーバ装置とを配置しておき、
前記利用者の端末から前記個人情報管理サーバ装置に網を通じて個人情報を送るステップと、
前記個人情報管理サーバ装置にて、前記利用者端末から受信した前記個人情報を蓄積するとともに、該個人の証明に必要な情報を前記利用者端末との間で交換して前記個人情報と関連付けて蓄積するステップと、
前記利用者端末から前記個人情報要求サーバ装置に前記網を通じて該個人の証明に必要な情報を送信するステップと、
前記個人情報要求サーバ装置にて、前記利用者端末から受信した該個人の証明に必要な情報を蓄積するステップと、
前記個人情報要求サーバ装置に蓄積された少なくとも一部の前記個人の証明に必要な情報を前記個人情報管理サーバ装置に前記網を介して送信して個人情報の問い合わせを行うステップと、
前記個人情報管理サーバ装置にて、前記個人情報要求サーバ装置より受信した前記個人の証明に必要な情報に基づいて該当する利用者の個人情報を抽出し、前記問い合わせに対する応答として前記個人情報要求サーバ装置に送信するステップと
を具備することを特徴とする個人情報入力支援方法。
【請求項６】
コンピュータを、
利用者の個人情報を該個人の証明に必要な情報とともに蓄積する個人情報データベース、
前記利用者の端末から網を介して個人情報を取り込み前記個人情報データベースに登録するとともに該利用者の前記証明に必要な情報を前記利用者端末との間で交換して前記個人情報データベースに登録する利用者対応手段、
前記利用者の個人情報を取得可能なサービス提供者に関する情報を蓄積するサービス提供者データベース、
このサービス提供者データベースに登録された前記サービス提供者の端末から前記網を介して送られてきた前記個人の証明に必要な情報に基づいて、前記個人情報データベースから該当する利用者の個人情報を読み出して前記サービス提供者に提供する個人情報提供手段
として機能させることを特徴とするプログラム。
【請求項７】
コンピュータを、
個人の証明に必要な情報を少なくとも蓄積する利用者管理データベース、
前記利用者の端末から網を介して該個人の証明に必要な情報を取り込み前記利用者管理データベースに登録する利用者対応手段、
前記利用者管理データベースに蓄積された少なくとも一部の前記個人の証明に必要な情報を、個人情報を管理する機能を有する外部の個人情報管理サーバ装置に前記網を介して送信して個人情報の問い合わせを行い、その応答である個人情報を取得する個人情報取得手段
として機能させることを特徴とするプログラム。
【発明の詳細な説明】
【０００１】
【発明の属する技術分野】
本発明は、インターネット上の懸賞サイトなどへの個人情報の入力を支援するサービスを行う個人情報管理サーバ装置、個人情報要求サーバ装置、個人情報入力支援方法、およびプログラムに関する。
【０００２】
【従来の技術】
インターネットにおいては様々な目的の懸賞サイトが設けられている。懸賞サイトでは、規定の入力フォームに応募者が自分の氏名、住所、電話番号、メールアドレスなどの個人情報を入力し、さらに場合によっては懸賞サイトが用意したアンケートに回答することなどによって懸賞参加への権利が与えられるようになっていることが普通である。
【０００３】
しかし、入力フォームへの個人情報の入力は利用者にとっては煩わしい操作であり、また個人情報がネットワークを流れることによって盗聴のリスクも大きくなることから敬遠される傾向があることも否定できない。
【０００４】
利用者による入力フォームへの個人情報の入力を支援する方法としては、たとえば、懸賞サイトの入力フォームに個人情報を入力したり、入力された個人情報に対してＩＤを発行し、このＩＤで個人情報の管理を行う方法（たとえば特許文献１参照。）や、懸賞サイトの入力フォームを認識し、認識した入力フォームへあらかじめ利用者が設定しておいた個人情報を自動的に入力する機能を利用者側の端末装置にアプリケーションプログラムによって実現する方法などが知られている。
【０００５】
【特許文献１】
特開２００１−３１９０１０号公報（段落番号００２２〜００３２）
【０００６】
【発明が解決しようとする課題】
しかしながら、この方法は個人情報の入力手間を省くことは可能であるが、懸賞サイトへの応募の都度、利用者の個人情報がインターネットを流れることになる。すなわち、応募回数に対応して個人情報がインターネット上を流れるため、応募回数が増えるとそれだけ個人情報の盗聴の危険に晒される機会が増える。
また、利用者にとっては懸賞に当選した場合も落選した個人情報を提供したことに違いがなく、このことに不満や不信を抱く利用者も少なくない。
【０００７】
さらに、懸賞サイトへの応募者数はその懸賞サイトやその企画者の知名度に大きく左右される。すなわち、知名度の低い懸賞サイトは敬遠されがちであり、懸賞品の質を高めても数的に十分な応募を集めることが困難であった。
【０００８】
また、このような事情は、懸賞サイト以外の、利用者から個人情報を取得して所定のサービスを提供する様々なサイトにおいて共通した課題である。
【０００９】
本発明は、このような課題を解決するためになされるもので、利用者がＷｅｂサイトに個人情報を提供する際の入力の手間を省くことができるとともに、個人情報のセキュリティの向上を図ることのできる個人情報管理サーバ装置、個人情報要求サーバ装置、個人情報入力支援方法、およびプログラムを提供することを目的としている。
【００１０】
【課題を解決するための手段】
上記目的を達成するために、本発明の個人情報管理サーバ装置は、利用者の個人情報を該個人の証明に必要な情報とともに蓄積する個人情報データベースと、前記利用者の端末から網を介して個人情報を取り込み前記個人情報データベースに登録するとともに該利用者の前記証明に必要な情報を前記利用者端末との間で交換して前記個人情報データベースに登録する利用者対応部と、前記利用者の個人情報を取得可能なサービス提供者に関する情報を蓄積するサービス提供者データベースと、このサービス提供者データベースに登録された前記サービス提供者の端末である個人情報要求サーバ装置から前記網を介して送られてきた前記個人の証明に必要な情報に基づいて、前記個人情報データベースから該当する利用者の個人情報を読み出して前記サービス提供者に提供する個人情報提供部とを具備している。
【００１１】
また、本発明の別の観点に基づく個人情報要求サーバ装置は、個人の証明に必要な情報を少なくとも蓄積する利用者管理データベースと、前記利用者の端末から網を介して該個人の証明に必要な情報を取り込み前記利用者管理データベースに登録する利用者対応部と、前記利用者管理データベースに蓄積された少なくとも一部の前記個人の証明に必要な情報を個人情報を管理する機能を有する外部の個人情報管理サーバ装置に前記網を介して送信して個人情報の問い合わせを行い、その応答である個人情報を取得する個人情報取得部とを具備するものである。
【００１２】
この発明によれば、利用者の個人情報が利用者端末から個人情報要求サーバ装置へ直接送られるのではなく、あらかじめ利用者端末から個人情報管理サーバ装置に利用者の個人情報と当該個人の証明に必要な情報とを関連付けて登録しておき、個人情報要求サーバ装置から個人情報管理サーバ装置に個人の証明に必要な情報が送信された場合に、個人情報管理サーバ装置がこの個人の証明に必要な情報に基づいて該当する利用者の個人情報を読み出してサービス提供者に提供する。
【００１３】
したがって、利用者はサービス提供者に自身の個人情報を提供したいとき、個人の証明に必要な情報のみを利用者端末からサービス提供者の個人情報要求サーバ装置に送ればよい。個人の証明に必要な情報とは、具体的にはＩＤ、パスワードなどであり、実際の個人情報よりもキャラクタ数が少なく入力に手間がかからないので、利用者は気軽にサービス提供者へ個人情報を提供してサービス提供者が利用者に提供するサービスを受けられるようになる。
【００１４】
また、この発明の個人情報管理サーバ装置において、前記個人情報提供部は、前記サービス提供者ごとに提供した個人情報の数を前記サービス提供者データベースに記録するようにしてもよい。
【００１５】
これにより、サービス提供者データベースに記録された提供個人情報の数に基づいて、サービス提供者に対して個人情報提供サービスの対価を要求する場合の合理的な課金処理を行うことが可能になる。
【００１６】
また、このように提供個人情報の数に基づいて課金することで、サービス提供者が大量の個人情報の提供を無闇に要求することに歯止めをかけることが可能になり、結果的に網を流れる個人情報の数を減らすことが可能になる。これによって個人情報が盗聴などの危険に晒される機会が減る。
【００１７】
例として、サービス提供者が懸賞サイトの場合、懸賞サイトが必要な個人情報は当選者のものだけであり、落選者の個人情報までもが無益に懸賞サイトへ提供されることによってもたらされる利用者の不利益を排除することができる。
【００１８】
【発明の実施の形態】
以下、本発明の実施形態を図面に基づいて説明する。
【００１９】
図１は本発明を、利用者から懸賞サイトへの個人情報の入力を支援するシステムに適用した場合の実施の一形態を示す全体構成図である。
【００２０】
同図に示すように、このシステム１００は、応募者１０の端末装置であるクライアント１と、本発明の個人情報要求サーバ装置に相当する懸賞サイトサーバ３と、本発明の個人情報管理サーバ装置に相当するセンターサーバ５と、クライアント１および各サーバ３，５を接続する網であるインターネット７とで構成される。
【００２１】
クライアント１は、具体的には、ＰＣ（Ｐｅｒｓｏｎａｌ　Ｃｏｎｐｕｔｅｒ）、ＰＤＡ（ＰｅｒｓｏｎａｌＤｉｇｉｔａｌ（Ｄａｔａ）　Ａｓｓｉｓｔａｎｔｓ）　、携帯電話、その他インターネット７への接続機能とＷｅｂブラウザとを有する端末装置である。
【００２２】
懸賞サイトサーバ３およびセンターサーバ５は、具体的には、ワークステーションや、これと同等の性能を有したＰＣなどが用いられる。
【００２３】
図２は上記各サーバに適用される典型的なコンピュータシステムの構成を示している。
同図に示すように、コンピュータシステムはＣＰＵ１１、ＲＯＭ１２、ＲＡＭ１３、入力デバイス１４、表示デバイス１５、インターフェース１６、ストレージデバイス１７、通信デバイス１８、システムバス１９を備えて構成される。
【００２４】
ＣＰＵ１１は、ＲＯＭ１２やＲＡＭ１３に格納されたプログラムやデータなどを用いて各種の演算処理を実行する。ＲＯＭ１２は、コンピュータを機能させるための基本的なプログラムやパラメータなどが記憶された読み取り専用メモリである。ＲＡＭ１３は、ＣＰＵ１１が実行するプログラムやプログラムの実行に必要なデータを記憶する、高速な読み出しと書き込みが可能なメモリである。システムバス１９は、ＣＰＵ１１、ＲＯＭ１２、ＲＡＭ１３、インターフェース１６などで共有される情報伝達路である。
【００２５】
インターフェース１６には、入力デバイス１４、表示デバイス１５、ストレージデバイス１７、通信デバイス１８などの各種デバイスが接続されている。入力デバイス１４は、オペレータからの入力を処理するデバイスであり、たとえばキーボードやマウスなどである。表示デバイス１５は、オペレータに演算結果や描画結果などを表示するデバイスであり、たとえばＣＲＴ、液晶ディスプレイ、プラズマディスプレイなどである。ストレージデバイス１７は、プログラムやデータを蓄積しておくための大容量の記憶装置であり、たとえばハードディスク装置などである。通信デバイス１８は、コンピュータをインターネット７に接続するための、たとえばモデムやＮＩＣ（Ｎｅｔｗｏｒｋ　Ｉｎｔｅｒｆａｃｅ　Ｃａｒｄ）などである。
【００２６】
［懸賞サイトサーバ３について］
図３は、懸賞サイトサーバ３のアーキテクチャ（ソフトウェア構成）を示す図である。
【００２７】
懸賞サイトサーバ３は、Ｗｅｂ・アプリケーション・ミドルウェア２１と、本発明の利用者対応部に相当する応募者対応機能２３、当選者選定機能２５、本発明の個人情報取得部に相当する個人情報取得機能２７を実現するソフトウェアと、本発明の利用者管理データベースに相当する応募者管理データベース２９とを備えている。
【００２８】
Ｗｅｂ・アプリケーション・ミドルウェア２１は、ＨＴＴＰプロトコルによりクライアント１ならびにセンターサーバ５との間でのリクエストとレスポンスのやりとりや、クライアント１ならびにセンターサーバ５と懸賞サイトサーバ３上で動作している上記ソフトウェアとの双方向のデータ交換を行う。また、クライアント１ならびにセンターサーバ５との間での送受信データの暗号化・復号化などを行う。
【００２９】
応募者対応機能２３は、クライアント１に懸賞用のＷｅｂページを提供して不特定利用者からの懸賞応募を受け付ける機能である。たとえば、応募者対応機能２３は応募者１０からの個人の証明に必要な情報であるＩＤとパスワードの入力を受け付ける入力フォームを含むＷｅｂページをクライアント１に提供する。
【００３０】
図４に、この入力フォームを含むＷｅｂページの例を示す。応募者対応機能２３は、この入力フォームに入力された応募者１０のＩＤとパスワードを取り込み、応募者管理データベース２９に蓄積する。この入力フォームを含むページの構成については後で詳細に説明する。
【００３１】
当選者選定機能２５は、応募者管理データベース２９に登録された応募者１０の中から当選者を選定する機能である。たとえば、応募者管理データベース２９に登録されたすべての応募者１０の中から懸賞サイトの管理者にたとえばＧＵＩ（Ｇｒａｐｈｉｃａｌ　Ｕｓｅｒ　Ｉｎｔｅｒｆａｃｅ）などによって当選者（ＩＤ・パスワード）を選定させる機能である。あるいは、応募者管理データベース２９に登録されたすべての応募者１０の中からランダムに当選者を自動で選定するようにしてもよい。この当選者選定機能２５により選定された当選者のＩＤとパスワードは個人情報取得機能２７へ渡される。
【００３２】
個人情報取得機能２７は、当選者選定機能２５より受け取った当選者のＩＤとパスワードを含む個人情報取得のためのリクエストをセンターサーバ５にインターネット７を通じて送り、センターサーバ５からの応答である個人情報を取得して応募者管理データベース２９に登録する機能である。
【００３３】
応募者管理データベース２９は、たとえば図５に示すように、応募者１０ごとのＩＤとパスワードを蓄積するとともに、当選者についてセンターサーバ５より取得した彼らの個人情報などを蓄積するデータベースである。懸賞サイトの管理者は、この応募者管理データベース２９に登録された当選者の個人情報に基づいて当選者への懸賞品の送付を行うことができる。
【００３４】
［センターサーバ５について］
センターサーバ５は、図９に示すように、Ｗｅｂ・アプリケーション・ミドルウェア３１と、本発明の利用者対応部に相当するサービス利用者対応機能３３、懸賞サイト登録機能３４、本発明の個人情報提供部に相当する個人情報提供機能３５を実現するソフトウェアと、個人情報データベース３６と、本発明のサービス提供者データベースに相当する懸賞サイト管理データベース３７と、これらのデータベースのメンテナンス機能３８を実現するソフトウェアとを備える。
【００３５】
Ｗｅｂ・アプリケーション・ミドルウェア３１は、ＨＴＴＰプロトコルによりクライアント１ならびに懸賞サイトサーバ３との間でリクエストとレスポンスのやりとりや、クライアント１ならびに懸賞サイトサーバ３とセンターサーバ５の上記ソフトウェアとの双方向のデータ交換を行う。また、クライアント１ならびに懸賞サイトサーバ３との間での送受信データの暗号化・復号化などを行う。
【００３６】
サービス利用者対応機能３３は、Ｗｅｂページを通して個人情報入力支援サービスの提供を希望する利用者（応募者）１０からの個人情報の登録を受け付ける機能である。図６に、利用者１０からの氏名、住所、郵便番号、電話番号、電子メールアドレスなどの個人情報の登録を受け付ける入力フォーム６１の例を示す。この入力フォーム６１に入力された個人情報は応募者対応機能２３によって個人情報データベース３６に蓄積される。図７に個人情報データベース３６の例を示す。
【００３７】
さらに、サービス利用者対応機能３３は以下の機能を含む。
【００３８】
・入力情報の形式チェック
サービス利用者対応機能３３は、上記入力フォーム６１に入力された、たとえば住所と郵便番号との整合性や誤字脱字など、個人情報の形式チェックを行い、エラーの場合は再度入力フォームへの入力を登録申請者に対して要求する。
【００３９】
・同一個人の多重登録防止
サービス利用者対応機能３３は、上記入力フォーム６１に入力された個人情報の氏名、住所などを個人情報データベース３６に登録済みの個人情報と照合して、同一個人の情報が登録されていないかどうかをチェックする。同一個人の情報が登録されていることを判断した場合には登録申請者にこの旨を通知して、多重登録の防止を図る。
【００４０】
・ＩＤおよびパスワードの発行
サービス利用者対応機能３３は上記入力フォーム６１を受信した後、上記形式チェックおよび多重登録防止機能によって登録情報の正当性を判断し、正当と判断した場合には、利用者ごとにユニークなＩＤおよびパスワードを生成して利用者１０に送付する。発行したＩＤおよびパスワードは個人情報データベース３６において個人情報と関連付けて蓄積される。
【００４１】
・個人情報利用者アクセス
サービス利用者対応機能３３は、ＩＤおよびパスワードを使ってログインした利用者１０に対して、個人情報データベース３６に登録されている当該利用者の個人情報へアクセスする機能を提供する。これにより利用者１０は個人情報データベース３６に登録されている自分の個人情報の参照、更新、削除などを随時行うことが可能となっている。
【００４２】
懸賞サイト登録機能３４は、センターサーバ５が提供する個人情報入力支援サービスの利用を希望する懸賞サイトの登録を受け付ける機能である。懸賞サイト登録機能３４は、懸賞サイトからの登録申請を受け付けるための登録申請フォームを含むＷｅｂページを公開する。個人情報管理センターでは、この登録申請フォームに入力された情報に基づいて申請懸賞サイトの審査が行われる。この審査は人為的な審査を含んでいることが信頼性の点で好ましい。
【００４３】
審査に合格すれば、懸賞サイト登録機能３４は登録申請フォームへの入力情報の少なくとも一部を懸賞サイト登録情報として懸賞サイト管理データベース３７に登録し、懸賞サイトごとにユニークなＩＤとパスワードとを生成して懸賞サイトへ送信するとともに、発行したＩＤとパスワードを懸賞サイト登録情報と関連付けて懸賞サイト管理データベース３７に登録する。図８に懸賞サイト管理データベース３７の例を示す。
【００４４】
なお、利用者、懸賞サイトなどへのＩＤとパスワードの送信はＷｅｂによる通信ではなく電子メールを使って行ってもよい。あるいは郵送でもよい。
【００４５】
個人情報提供機能３５は、懸賞サイトサーバ３から送られてきた応募者１０のＩＤおよびパスワードを含む個人情報取得のリクエストを処理する機能である。
個人情報提供機能３５はさらに以下の機能を含む。
【００４６】
・懸賞サイトの認証
個人情報提供機能３５は、ログイン画面を懸賞サイトサーバ３のＷｅｂブラウザに表示し、このログイン画面で懸賞サイトの管理者によってＩＤおよびパスワードが入力されることによって取り込んだＩＤおよびパスワードと、懸賞サイト管理データベース３７に登録済みの懸賞サイトのＩＤおよびパスワードとを照合して認証を行い、認証ＯＫならば当該懸賞サイトの懸賞サイトサーバ３からの個人情報取得のリクエストを受け付けるページを送信する。
【００４７】
・個人情報データベース検索
個人情報提供機能３５は、懸賞サイトサーバ３からの個人情報取得のリクエストを受け付けると、このリクエストに含まれる応募者１０のＩＤとパスワードがともに一致する登録者の個人情報を個人情報データベース３６から読み出し、個人情報一覧ファイルを作成する。
【００４８】
・個人情報の提供と提供数カウント
個人情報提供機能３５は、このようにして作成した個人情報一覧ファイルを懸賞サイトへ送付する。このとき懸賞サイト管理データベース３７の該当する懸賞サイトの個人情報提供数のカウンタの値を更新する。
【００４９】
個人情報一覧ファイルを懸賞サイトへ送付する方法としては、Ｗｅｂや電子メールなどのインターネット７を用いた方法、郵送による方法などがある。
【００５０】
・個人情報提供数カウンタの値に基づく課金処理
個人情報提供機能３５は、懸賞サイト管理データベース３７の個人情報提供数カウンタの値に基づいて懸賞サイトごとの課金金額を計算する。具体的な課金金額の計算方法は個々の懸賞サイトとの間に成立した契約に基づく。たとえば、個人情報一つについて一定の金額（単価）を設定しておき、この単価に個人情報提供数を乗じた値を課金金額とする方法が挙げられる。
【００５１】
メンテナンス機能３８は、個人情報データベース３６および懸賞サイト管理データベース３７の他の記憶媒体へのバックアップ処理、データの整合性確認などによるデータ保全のための処理を行う機能である。
【００５２】
次に、以上のように構成されたシステム１００において代表される動作を説明する。
【００５３】
まず応募者１０が、センターサーバ５に既に登録済みの懸賞サイトのホームページにアクセスする。たとえば図４に示すような懸賞サイトのホームページ４０が応募者１０のブラウザ画面に表示される。懸賞サイトのホームページ４０には、応募参加に個人情報管理センターへの利用者登録が必要である旨の注意書４１が掲載されており、この注意書４１の一部には個人情報管理センターの利用者登録ページにジャンプするためのリンク４２が設定されている。
【００５４】
応募者１０がこのリンク４２をマウスなどによって指定（クリック）すると、たとえば図６に示すような個人情報管理センターの利用者登録ページにジャンプする。利用者登録ページ６０には応募者１０の氏名、住所、郵便番号、電話番号、電子メールアドレスなどの個人情報の登録を受け付ける入力フォーム６１が設定されており、応募者１０がこの入力フォーム６１に必要な個人情報を入力した後、送信ボタン６２をマウスなどによって指定（クリック）すると、入力フォーム６１に入力された応募者１０の個人情報がセンターサーバ５のサービス利用者対応機能３３によって取り込まれ、個人情報データベース３６に蓄積される（図９−（１）（２）（３））。
【００５５】
サービス利用者対応機能３３は入力情報の形式チェック、同一個人の多重登録チェックなどを行い、問題がなければ当該応募者１０のＩＤおよびパスワードを生成して応募者１０に送信する（図９−（４）（５））。また、これらＩＤおよびパスワードを個人情報データベース３６において個人情報と関連付けて蓄積する（図９−（６））。
【００５６】
応募者１０は、このようにしてＩＤおよびパスワードを取得した後、再び懸賞サイトのホームページにアクセスし、このホームページ４０に設けられたＩＤおよびパスワードの入力フォーム４３にＩＤおよびパスワードをそれぞれ入力し、応募ボタン４４をマウスなどにより指定（クリック）する。これにより、入力フォーム４３に入力されたＩＤおよびパスワードが懸賞サイトサーバ３の応募者対応機能２３により取り込まれる（図３−（７）（８））。
【００５７】
応募者対応機能２３は、取り込んだ応募者１０のＩＤおよびパスワードを応募者管理データベース２９に蓄積する（図３−（９））。
【００５８】
このように不特定多数の応募者１０のＩＤおよびパスワードが応募者管理データベース２９に蓄積されて行く。
【００５９】
懸賞サイトにおいて当選者を選出する場合には応募者管理データベース２９に蓄積された各応募者１０のＩＤおよびパスワードを対象に実施される。
【００６０】
当選者選定機能２５を用いて応募者管理データベース２９に蓄積されたすべての応募者１０の中から当選者の選定が行われる。この当選者を選定する具体的な方法は懸賞サイト側に依存する。
【００６１】
当選者選定機能２５によって当選者のＩＤおよびパスワードが決まると、これら当選者のＩＤおよびパスワードは個人情報取得機能２７に渡される（図３−（１０）（１１））。
【００６２】
個人情報取得機能２７は当選者のＩＤおよびパスワードを受け取ると、この当選者のＩＤとパスワードを含む個人情報取得のためのリクエストをセンターサーバ５にインターネット７を通じて送る（図３−（１２）（１３））。
【００６３】
センターサーバ５は当選者のＩＤとパスワードを含む個人情報取得のためのリクエストを受けると、当選者のＩＤとパスワードを個人情報提供機能３５へ渡す（図９−（１４）（１５））。
【００６４】
個人情報提供機能３５は当選者のＩＤとパスワードを受け取ると、ＩＤとパスワードがともに一致する利用者の個人情報を個人情報データベース３６から読み出し（図９−（１６））、個人情報一覧ファイルを作成して、この個人情報一覧ファイルを懸賞サイト（懸賞サイトサーバ３）へたとえばインターネット７を介して送付する（図９−（１７）（１８））。またこの際、個人情報提供機能３５は、懸賞サイト管理データベース３７に登録されている該当する懸賞サイトの個人情報提供数のカウンタの値を更新する（図９−（１９））。
【００６５】
懸賞サイトサーバ３は、センターサーバ５から当選者の個人情報一覧ファイルを受け取ると、個人情報一覧ファイルを個人情報取得機能２７に渡す（図９−（２０）（２１））。個人情報取得機能２７は受け取った個人情報一覧ファイルから個々の利用者の個人情報を抽出して、これらを応募者管理データベース２９に登録されているＩＤとパスワードに関連付けて登録する（図９−（２２））。
【００６６】
以上により、当選者の個人情報だけが懸賞サイトに登録されることになり、登録された個人情報に基づいて当選者への懸賞品の送付を行うことができる。
【００６７】
この実施形態の懸賞サイトへの個人情報入力支援システムによれば次のような効果が得られる。
【００６８】
１．応募者１０のＩＤとパスワードを懸賞サイトに入力するだけで懸賞に参加することができ、応募者１０の手間を軽減することができる。このため気軽に懸賞に参加することができ、懸賞サイトへの応募者数の大幅な増加を見込める。
【００６９】
２．セキュリティの面において、応募者１０から懸賞サイトに直接個人情報を送信する場合に比べ、利用者の個人情報がインターネット７を流れる頻度がトータル的に低減するので、個人情報が盗聴などの危険に晒される機会が減る。すなわち、これはセンターサーバ５から懸賞サイトサーバ３に送られる個人情報が懸賞の当選者に絞られることに大きく依存する。さらに、このことは、落選者の個人情報が無益に懸賞サイトに取得されることを阻止できるという落選者にとってのメリットにつながる。
【００７０】
３．クルマ、パソコン、旅行券などの人気の高い懸賞品を掲げた場合、当選倍率が高くなり、多くの落選者が発生することになるが、懸賞サイトが利用者から直接個人情報を集める既存の方式では、応募時点で全ての利用者の個人情報を維持・管理している必要があり、結果的に相当な数の個人情報を堅牢な設備と厳密な運用のもとで管理しなければならない。これに対し、本システムによれば、当選者の個人情報のみを懸賞サイトに管理すればよいから、個人情報の安全な管理が比較的容易になる。
【００７１】
４．個人情報管理センターは様々な懸賞サイトで共通的に利用する個人情報を一元的にかつ堅牢な設備と厳密な運用で管理し、その管理方法をホームページを通じて一般に公開する。これにより利用者は知名度の低い懸賞サイトであっても、個人情報管理センターを利用している旨の表示を確認することにより、安心して応募を参加できるようになる。
【００７２】
５．センターサーバ５から懸賞サイトサーバ３への当選者の個人情報の提供数に基づいて懸賞サイトに対する課金が行われるので、懸賞サイトにとって無駄な個人情報の取得による課金が行われることがない。
【００７３】
以上本発明に係る代表的な実施形態を説明したが、本発明はこれに限定されるものではない。以下に、別の実施形態を説明する。
【００７４】
利用者の同意の下に、たとえば懸賞サイトから宣伝用などの電子メールを送付したい場合、当選者の個人情報だけではなく、当選者以外の利用者の個人情報もセンターサーバ５から送ってもらうことにする。すなわち、懸賞サイトサーバ３は応募者管理データベース２９に蓄積されたすべての応募者１０のＩＤとパスワードをセンターサーバ５に送る（図９−（１０’））。これによりセンターサーバ５から懸賞サイトサーバ３にすべての応募者１０の個人情報が送られることになる。
【００７５】
なお、本発明は上述したいずれの実施形態にも限定されず、本発明の技術思想の範囲内で適宜変更して実施できる。
【００７６】
【発明の効果】
以上説明したように、本発明によれば、利用者は個人の証明に必要な情報のみを個人情報要求サーバ装置に送ればよく、実際の個人情報を送る場合に比べ入力に手間がかからないので、利用者は手軽にサービス提供者へ個人情報を提供してサービス提供者が提供するサービスを受けられるようになる。また、網を流れる個人情報の数をトータル的に減らすことが可能になり、個人情報が盗聴などの危険に晒される機会が減る。
【図面の簡単な説明】
【図１】本発明を利用者から懸賞サイトへの個人情報の入力を支援するシステムに適用した場合の実施の一形態を示す全体構成図である。
【図２】図１のサーバに適用される典型的なコンピュータシステムの構成を示すブロック図である。
【図３】懸賞サイトサーバの構成を示す図である。
【図４】懸賞サイトの入力フォームを含むＷｅｂページの例を示す図である。
【図５】応募者管理データベースの構成を示す図である。
【図６】個人情報の登録を受け付ける入力フォームの例を示す図である。
【図７】個人情報データベースの構成を示す図である。
【図８】懸賞サイト管理データベースの構成を示す図である。
【図９】センターサーバの構成を示す図である。
【符号の説明】
１・・・・クライアント、３・・・・懸賞サイトサーバ、５・・・・センターサーバ、７・・・・インターネット、１０・・・・応募者・利用者、２３・・・・応募者対応機能、２５・・・・当選者選定機能、２７・・・・個人情報取得機能、２９・・・・応募者管理データベース、３３・・・・サービス利用者対応機能、３３・・・・サービス利用者対応機能、３４・・・・懸賞サイト登録機能、３・・・・個人情報提供機能、３６・・・・個人情報データベース、３７・・・・懸賞サイト管理データベース、３８・・・・メンテナンス機能
【図１】
2004102892.tif 000003
【図２】
2004102892.tif 000004
【図３】
2004102892.tif 000005
【図４】
2004102892.tif 000006
【図５】
2004102892.tif 000007
【図６】
2004102892.tif 000008
【図７】
2004102892.tif 000009
【図８】
2004102892.tif 000010
【図９】
2004102892.tif 000011